(57)【特許請求の範囲】
【請求項１】
内部に電装部品を収容するための箱体状のサブラックと、前面開口から内部へ向けて該サブラックをスライド自在に支持する収容部を備えたラック本体と、を備えた多段ラックにおいて、
前記サブラックは、底板と、該底板の左右両側縁から夫々立設した左右両側板と、左右両側板の各内壁に前方から奥方へ向けて所要ピッチで突設した複数のガイド突起から成るガイド突起横列と、両側板の同じ高さ位置にある該ガイド突起横列に左右端縁を支持されて当該サブラックの前方から奥方へスライド自在に支持されるトレイ板と、から成り、
前記ガイド突起横列を構成する個々のガイド突起は、両側板の一部を切り絞り方法によって内側へ円弧状に突出させることによって形成され、前記サブラックの少なくとも一方の側板の奥端部に、前記トレイ板の奥端部に設けた嵌合手段と嵌合する被嵌合手段を設け、前記トレイ板を前記ガイド突起横列に沿って前記サブラックの奥部まで装着したときに前記嵌合手段が前記被嵌合手段に嵌合することにより、両側板の側方への変形を防止したことを特徴とする多段ラック用サブラックの構造。
【請求項２】
前記ガイド突起横列は、所定の上下間隔を隔てて近接配置された２列を一組とし、該２列のガイド突起横列間に形成される案内溝によって前記トレイ板の両端縁をスライド自在にガイドしたことを特徴とする請求項１記載の多段ラック用サブラックの構造。
【請求項３】
前記一組のガイド突起横列を、各側板内面に上下方向に所要の間隔を隔てて複数列平行に配置したことを特徴とする請求項１又は２記載の多段ラック用サブラックの構造。
【請求項４】
前記トレイ板をガイド突起横列により支持した時に、当該トレイ板の脱落を防止する脱落防止手段を備えたことを特徴とする請求項１、２、又は３記載の多段ラック用サブラックの構造。
【発明の詳細な説明】
【０００１】
【発明の属する技術分野】
本発明は電気通信機器に使用される多段ラックに用いられるサブラックの改良に関し、特に、個々のサブラック内に１又は２以上のトレイ板を略水平に装着することによって、個々のトレイ板上に各種機器類、プリント基板等を組み込むことを可能とした場合に、サブラック側板によって支持されるトレイ板の高さ位置を可能な限り短いピッチにて微調整可能に構成した多段ラック用サブラックの構造に関する。
【０００２】
【従来の技術】
一般的な加入者線終端交換機や多重分離端局装置などの電気通信機器は、通信機器用キャビネット筐体（ラック本体）内に、機能ブロック単位に応じて多段状に積層収容した架構成をとり、機能ブロック単位を形成する棚段はシェルフ筐体（サブラック）内に構成されている。例えば、前記サブラック内に、複数のプリント基板パッケージ（モジュールユニット、プラグインカード等とも称する）、各種電子機器等を実装することにより機能ブロック単位を構成する。
ところで、近年にあっては、インターネットに代表されるように、通信システムのネットワーク化が進み、上記した電気通信機器等を設置する者が、自己のネットワーク（以下、ＬＡＮ；Ｌｏｃａｌ  Ａｒｅａ  Ｎｅｔｗｏｒｋという）に電気通信機器を接続し、運用監視することが行なわれている。このＬＡＮの種類には、従来のＸ．２５パケット網などに加え、更に、イーサネットＬＡＮ（ＩＥＥＥ８０２．３）、高速イーサネットＬＡＮ（ＩＥＥＥ８０２．３ｕ）、トークンバスＬＡＮ（ＩＥＥＥ８０２．４）、トークンリングＬＡＮ（ＩＥＥＥ８０２．５）、無線ＬＡＮ（ＩＥＥＥ８０２．１１）、１００ＶＧ−ＡｎｙＬＡＮ（ＩＥＥＥ８０２．１２）、ＦＤＤ−Ｉ  ＬＡＮ、ＡＴＭ  ＬＡＮなど多種多様のものがあると同時に、これらを提供するＬＡＮ機器は、特に、高速化、高機能化、及び短薄軽小化が目まぐるしく変化していることから、電気通信機器等を設置する者も必要に応じて電気通信機器に搭載するＬＡＮ機器の交換を行なう必要に迫られる。そのため、電気通信機器のラック本体のＬＡＮ機器収容構造はＬＡＮ機器の形状変化に対応可能なようにしておくことが必要となる。
【０００３】
そこで、ラック本体自体に直接複数段のトレイ板を取付けるようにし、ラック本体の規格に則った高さ方向のピッチ間隔、例えば、インチやミリ単位（例えば、２５ｍｍ単位）にて、トレイ板の取付け高さを任意に変更するようにした従来例が知られている。しかしながら、このようにラック本体にトレイ板を支持せんとすると、トレイ板の前端部とラック本体の前端部とをネジ止め等によって固定することとなり、充分な重量強度を発揮することが困難であった。このため、ラック本体の両側板の内面にもトレイ板の左右両端部を支持する為の保持金具が必要となる。この保持金具は、ラック本体の側板に設けた係着穴等に対して着脱自在に装着される金具であり、金具を取り付ける係着穴の位置を変更することによって、金具により支持されるトレイ板の高さ位置を変更することができる。しかし、この方法では、トレイ板の位置を変更する際に、保持金具の位置までも移動する手間が生じてしまい不便であり、この点の改善が強く望まれていた。また、この方法では、上記した２５ｍｍ単位のピッチよりも狭い間隔での位置調整をすることができなかった。
このようなところから、ラック本体に対して引出し式に多段状に収容されるサブラック内に複数のトレイ板を多段状に組み込んで、各トレイ板上に各種ＬＡＮ機器等を収容して機能ブロックを構築した電気通信機器が開発されている。
即ち、上記した電気通信機器、例えばデジタル通信回線の多重分離装置等は、図１０に示すように通信機器用キャビネット筐体（以下、ラック本体、という）１内に備えた複数の収容部２内に引出し式のシェルフ筐体（以下、サブラック、という）１０を収容固定した構成を備えている。ラック本体１の前面には必要に応じて仕切部材３が所定間隔で配置され、仕切部材３間に画成された収容部２の両側板の内壁にはサブラック本体１０を引出し式に着脱可能とするための図示しないガイド部材が設けられている。各収容部２に対応するラック本体１の背面は少なくとも一部が開放しており、該開放部から各収容部内に装着したサブラック１０の背面が露出した状態となり、サブラック１０の背面に設けた図示しないコネクタピン群がコネクタ枠体（アダプタ）等を介して外部ケーブルコネクタと着脱自在に接続される。外部ケーブルコネクタは、同一のサブラックの他のコネクタピン群との間、或は他のサブラックとの間、或は外部機器との間を接続する手段である。
【０００４】
サブラック１０は、ステンレス板を箱形に組み付けて前面だけを開放した構成を備えている。サブラック１０は、底板１１と、底板１１の左右両側端縁から直角に立設した左右両側板１２、１３と、天井板１４と、サブラック１０の両側板１２、１３の外側面前部に固定された固定用ブラケット１５と、両側板１２、１３の内側面に切り起こし形成されたガイド突起１６によって左右両端部を支持された状態でサブラック内に出入れ自在に差し込まれるトレイ２０と、を有する。固定用ブラケット１５は各側板１２、１３にネジ等により固定される基部１５ａと、基部１５ａから直角に屈曲した固定片１５ｂと、固定片１５ｂに形成した穴１５ｃとを有している。サブラック１０を収容部２の前面開口から引出し式に差し込んで、サブラックの奥端部を収容部２の奥部にまでセットした状態では、固定用ブラケット１５の固定片１５ｂに設けた穴１５ｃがラック本体１の縦架１ａに設けた固定穴１ｂと連通状態となるように予め設計されている為、両穴１５ｃと１ｂをネジ１７により固定することにより、サブラック１０の固定が完了する。
サブラック１０の両側板１２、１３に形成したガイド突起１６は、図１１(a)(b)に示すように側板の適所をコ字状に切り込んで切り込み線により囲われた矩形部分を内側へ向けて直角に切り起こしたものである。具体的には、ガイド突起１６は所定の間隔Ｇを隔てて上下位置関係で対向配置された２つのガイド突起から成り、上側と下側の各ガイド突起をサブラックの前方から奥方へ向けて夫々水平に配列したガイド突起横列によってトレイ板２０がスライド自在に支持される。この例に示すように、サプラックの両側面板に、上下に向かい合わせてコの字状に切り欠き、コの字状の内壁をサプラックの内側に織り込むことによりガイドレールを形成していた。
このようなことから、トレイ板の高さ位置を更に細かく調整できるよう、スロットガイドレール（案内溝）を設けたサブラックを用い、このサブラックにＬＡＮ機器を収容するよう構成した。
【０００５】
【発明が解決しようとする課題】
しかし、ガイドレールを形成するガイド突起１６の突出長さを充分に確保してトレイ板の支持安定性を高めるためには、コの字状切り欠きの高さ方向の長さを多くしなければならない。すると、トレイ板２０の高さ位置調整のピッチ間隔が広がってしまう。更に、サブラックの軽量化（部品点数の削減）を図るために、天井面板１４を無くしたいが、これを実行すると底板１１による両側板１２、１３の支持強度が低下し、側板上部が小さな力が加わっただけでも広がってしまうため、ガイド突起１６の突出長を更に長くしなければ、トレイ板が落下してしまう虞がある。しかし、ガイド突起を長くすると、必然的に上下位置関係にあるガイド突起の間隔が拡大する為、トレイ板の高さ位置調整のピッチ間隔が広がるという不具合が発生する。
本発明は上記に鑑みてなされたものであり、電気通信機器に使用される多段ラックに用いられるサブラックにおいて、個々のサブラック内に１又は２以上のトレイ板を略水平に装着することによって、個々のトレイ板上に各種機器類、プリント基板等を組み込む場合に、サブラック側板によって支持されるトレイ板の高さ位置を可能な限り短いピッチにて微調整可能に構成した多段ラック用サブラックの構造を提供することを目的としている。
具体的には、サブラックの天井板を省略したとしても底板による両側板の機械的強度を十分に確保してトレイ板を支持する際の安定性を高めることができ、更に側板を部分的に変形させて内側へ突出させることによってガイド突起を形成する際に、側板に大きな切り込みを形成せずに十分に大きな突出長を備え、且つ高さ方向ピッチが小さいガイド突起を形成することができる多段ラック用サブラックの構造を提供することを目的としている。
【０００６】
【課題を解決するための手段】
上記課題を解決する為、請求項１の発明は、内部に電装部品を収容するための箱体状のサブラックと、前面開口から内部へ向けて該サブラックをスライド自在に支持する収容部を備えたラック本体と、を備えた多段ラックにおいて、前記サブラックは、底板と、該底板の左右両側縁から夫々立設した左右両側板と、左右両側板の各内壁に前方から奥方へ向けて所要ピッチで突設した複数のガイド突起から成るガイド突起横列と、両側板の同じ高さ位置にある該ガイド突起横列に左右端縁を支持されて当該サブラックの前方から奥方へスライド自在に支持されるトレイ板と、から成り、前記ガイド突起横列を構成する個々のガイド突起は、両側板の一部を切り絞り方法によって内側へ円弧状に突出させることによって形成され、前記サブラックの少なくとも一方の側板の奥端部に、前記トレイ板の奥端部に設けた嵌合手段と嵌合する被嵌合手段を設け、前記トレイ板を前記ガイド突起横列に沿って前記サブラックの奥部まで装着したときに前記嵌合手段が前記被嵌合手段に嵌合することにより、両側板の側方への変形を防止したことを特徴とする。
請求項２の発明は、前記ガイド突起横列は、所定の上下間隔を隔てて近接配置された２列を一組とし、該２列のガイド突起横列間に形成される案内溝によって前記トレイ板の両端縁をスライド自在にガイドしたことを特徴とする。
請求項３の発明は、前記一組のガイド突起横列を、各側板内面に上下方向に所要の間隔を隔てて複数列平行に配置したことを特徴とする。
請求項４の発明は、前記トレイ板をガイド突起横列により支持した時に、当該トレイ板の脱落を防止する脱落防止手段を備えたことを特徴とする。
【０００７】
【発明の実施の形態】
以下、本発明を図面に示した実施の形態により詳細に説明する。
図１は本発明の一実施形態に係る電気通信機器、例えばデジタル通信回線の多重分離装置の構成を示す正面図であり、この多重分離装置は、通信機器用キャビネット筐体（以下、ラック本体、という）３１内に備えた複数の収容部３２内に引出し式のシェルフ筐体（以下、サブラック、という）３０を収容固定した構成を備えている。ラック本体１の前面には必要に応じて仕切部材３３が所定間隔で配置され、仕切部材３３間に画成された収容部３２の両側板の内壁にはサブラック本体３０を引出し式に着脱可能とするための図示しないガイド部材が設けられている。各収容部３２に対応するラック本体３１の背面は少なくとも一部が開放しており、該開放部から各収容部内に装着したサブラック３０の背面が露出した状態となり、サブラック３０の背面に設けた図示しないコネクタピン群がコネクタ枠体（アダプタ）等を介して外部ケーブルコネクタと着脱自在に接続される。外部ケーブルコネクタは、同一のサブラックの他のコネクタピン群との間、或は他のサブラックとの間、或は外部機器との間を接続する手段である。
【０００８】
図２は本発明の一実施形態に係るサブラックの外観斜視図、図３はその正面図、図４は平面図、図５は側面図である。
本発明のサブラック３０は、その左右側板内壁に夫々上下間隔が狭い複数のガイド突起横列４５Ｒを備え、各ガイド突起横列によってトレイ板５０の左右両端部を十分な支持強度で着脱自在に支持するとともに、天井板を除去したサブラック構造でありながら底板による左右側板の支持強度を十分に高めた構成が特徴的である。
まず、各図に示すようにこのサブラック３０は、矩形の金属板である底板４１と、底板４１の左右両端縁から夫々直立して一体化された金属製左側板４２及び右側板４３と、左右両側板４２、４３の内壁に夫々突設されたガイド突起４５と、ガイド突起４５によって左右両端縁をスライド自在に支持される金属製トレイ板５０等から概略構成されている。
左右両側板４２、４３の内壁に夫々突設されたガイド突起４５は、図６に示すように各側板の両側面から図示しない金型を圧着する『切り絞り方法』と呼ばれる方法で、円弧状に突出（切り起し）させるものであり、これは金属の伸びを利用している点で、上述の従来技術とは異なる。このように形成したガイド突起４５は、例えば円弧突起部分の上下方向幅が最大３ｍｍ、最小２ｍｍ程度という狭さでありながらトレイ板５０の左右両端部を十分な強度にて支持することができ、上下２つのガイド突起４５ａ，４５ｂをトレイ板５０の左右両端部の板厚分を少しく上回る間隔（案内溝＝スロットガイドレール）Ｇだけ隔てて形成することにより，該間隔Ｇ内にトレイ板５０の左右両端部をスライド自在に支持することができる。また、個々のガイド突起４５の上下方向幅Ｇ２が狭い分だけ上下位置関係にあるガイド突起４５間の間隔Ｇ１を狭く設定することができ、ガイド突起４５によって支持されるトレイ板５０の上下間隔を狭くしたり、狭いピッチにて高さ位置を微調整することができる。
この例では、上下２つのガイド突起４５ａ，４５ｂを対としているが、一個ずつのガイド突起によってトレイ板５０を支持するようにしてもよい。
このガイド突起４５ａ，４５ｂは、夫々サブラック３０の前方から奥方へ向けてほぼ水平に所定の間隔を隔てて配列されることによりガイド突起横列４５Ｒａ，４５Ｒｂを構成し、ガイド突起横列４５Ｒａ，４５Ｒｂから成るガイド突起横列４５Ｒは、所要の上下方向間隔Ｇ１を隔てて上下方向に複数配列されている。一つのガイド突起横列４５Ｒ内の各案内溝Ｇは、前後方向に直線状に配列されているため、トレイ板５０の左右両端縁をサブラック３０の前端部に位置する特定のガイド突起横列４５Ｒ内の案内溝Ｇ内に差し込みスライドさせることにより、装着を完了することができる。
【０００９】
上記切り絞り方法により形成された個々のガイド突起横列４５Ｒ間の上下方向間隔ＰＬは、従来の限界値であった２５ｍｍを大幅に下回る十数ｍｍ或は１０ｍｍ以下程度まで減縮が可能である。しかも、ステンレス製側板４２、４３の肉厚を１ｍｍとした場合に、個々のガイド突起４５ａ，４５ｂの突出長ｈを５〜８ｍｍ程度とすれば、トレイ板及びトレイ板上の機器の重量（例えば、８ｋｇ程度まで）を十分に支持することが可能である。
また、各側板４２、４３の局部に対して両側面から金型を圧着し、各金型に設けた凹部と突部との間に側板の局所を挟んで加圧する『切り絞り方法』により、円弧状に突出（切り起し）させた場合、各ガイド突起４５の上下縁に沿って側板が切り込まれるだけであり、従来例のように切込み線が大きく上下方向に延びることがないので、各ガイド突起４５の上下方向間隔を大幅に短く設定することが可能となる。
なお、ガイド突起４５ａ，４５ｂの突出形状は、必ずしも円弧状である必要はなく、三角、矩形、その他種々の形状を適用することができる。また、ガイド突起４５ａ，４５ｂの上下方向幅は、均一である必要はなく、長手方向両端部が中央部よりも狭くなってもよい。
【００１０】
トレイ板の斜視図である図７に示すように、トレイ板５０は上面に機器類を搭載する為の載置面５１と、載置面５１の左右両端縁に位置する被ガイド端縁５２と、載置面５１の前端縁に沿って上向き屈曲させた前端屈曲片５３と、奥角隅部に必要に応じて設けたケーブル挿通用の切欠き５４と、２つの奥角隅から奥方へ夫々突設した嵌合突起（嵌合手段）５５とを備えている。
前記前端屈曲片５３の左右両端部には、夫々穴５３ａを貫通形成し、トレイ板５０をいずれかのガイド突起列４５Ｒ内に挿入して奥までセットしたときに、各穴５３ａと対応する側板４２、４３の前端面には小面積の受け板６０が設けられ、受け板６０に形成したネジ穴６０ａと穴５３ａとが連通状態となる。この状態で、両穴５３ａ，６０ａ内にボルト６１を螺着することにより、各側板４２、４３の前端部に対してトレイ板５０の前端部を固定する作業が完了する。この穴５３ａ，６０ａ，及びボルト６１は、トレイ装着後の脱落防止手段を構成する。
受け板６０は各ガイド突起列４５Ｒに対応して同数設けられており、各受け板６０の上下方向間隔は、トレイ板５０を前方から差し込むのに支障がないように設定されている。
また、図８(a)(b)はトレイ引出し時の脱落防止手段であり、この脱落防止手段は、トレイ板５０の奥端縁角隅部近傍位置に屈曲形成した屈曲片６５と、屈曲片６５に形成した長穴６５ａと、屈曲片６５の前面に沿って左右方向へスライド自在に配置された係止片６６と、係止片６６に形成した図示しないネジ穴と、長穴６５ａと該ネジ穴を連通させた状態で両穴に螺着されるボルト６７とを有する。係止片６６は小突起６６ａを有する。ボルト６７を弛めた状態ではボルトとともに係止片６６が左右方向へスライド自在であり、トレイ板５０をガイド突起列４５Ｒ内に装着する際には図８(a)に示すように係止片６６をトレイ板内側へ退避させておき、小突起６６ａが前記受け板６０に引っ掛かって装着作業を邪魔しないようにする。一方、装着を完了したトレイ板５０をサブラックの前方へ引出し、且つ引き出した状態で脱落しないように保持する場合には、図８(b)のようにボルトを外側へスライドさせた状態で締め付けることにより、小突起６６ａが側方へ突出するので、トレイ板５０を前方へスライドさせたときに小突起６６ａが受け板６０に係合してトレイ板の前方への抜落ちが防止される。
【００１１】
次に、図９は、ガイド突起列に沿ってトレイ板を装着完了したときに、各側板４２、４３の後端縁とトレイ板の一部とが係合状態となってほぼ一体化することにより、各側板４２、４３を補強するようにした補強構造を示している。
即ち、サブラック３０の少なくとも一方の側板４２、４３の奥端部に、トレイ板の奥端部（角隅部）に設けた嵌合突起（嵌合手段）５５と嵌合する嵌合穴（被嵌合手段）７０を設け、トレイ板をガイド突起横列に沿ってサブラックの奥部まで装着したときに嵌合突起５５が嵌合穴７０内に嵌合することにより、前記底板に対する両側板の支持強度を高めている。嵌合穴７０は、側板４２、４３の後端縁を内側に屈曲させた屈曲片７１に、各ガイド突起列４５Ｒの案内溝Ｇと対応する位置に貫通形成されたスリット状の穴であり、この嵌合穴７０に嵌合突起５５が嵌合することにより、側板４２、４３の左右方向への変形が防止される。
一つのサブラック内にトレイ板を複数枚装着することにより、側板の補強は更に強力となる。
なお、各側板４２、４３の外側面に設けたガイド部材７５は、ラック本体３１の個々の収容部３２の側内壁に設けたガイド部に沿ってサブラック３０を装着するための手段である。符号７６は、各側板４２、４３の奥部にまたがってコ字状に固定されたケーブル集束用バーであり、サブラックから延びるケーブルをこのケーブル集束用バー７６に引っ掛けてまとめる。符号７７は補強用の金具であり、両側板４２、４３が側方へ変形することを防止する。符号７８は、各側板４２、４３の前部外側に固定されたＬ字板であり、このＬ字板７８はサブラック３０をラック本体３１に固定する手段である。
また、符号８０は底板４１の奥部上面に設けたコンセントであり、符号８１は電源入力用の端子台である。コンセント８０に対してケーブルを接続する際の障害とならないようにトレイ板５０には、前記切欠き５４を形成してもよい。
次に、符号８５は、各トレイ板５０上に載置した機器類を固定する為のベルトであり、ベルトの端部同士はマジックテープ（登録商標）等により着脱可能に構成する。
【００１２】
以上のように本発明のサブラック３０は、底板４１と左右側板４２、４３、及び複数枚のトレイ板５０を備える。言い換えれば、前面（正面）板と、後面（背面）板と、天井板がない。そのため、従来品に比べて部品点数が少なくなり、製造工程の短縮と、低コスト化を実現できる。また、前後面と上面が開放している為、通気性がよくなり放熱性が高まると同時に、軽量化の面でも有利である。
また、トレイ板５０をサブラックの両側板４２、４３に形成した案内溝（スロットガイドレール）Ｇに挿入することで、ＬＡＮ機器搭載スベースの高さ方向を容易に変更することができる。
また、本発明では、案内溝Ｇの形成の仕方に特徴がある。つまり、各側板４２、４３の局所に対して両面側から金型を圧着する『切り絞り』と呼ばれるプレス加工方法により、側板の局所を円弧状、その他の形状に突出させるものであり、金属の伸びを利用している。このため、側板に形成される切り込み線は個々のガイド突起の上下辺に沿って横方向に延びるだけであり、従来例のように大きく上下方向に切り込み線が延びることはない。従って、切り込み線に干渉されることなくガイド突起間の上下間隔を大幅に短くすることができる。
また、トレイ板５０と側板４２、４３とを締結する嵌合手段及び被嵌合手段を設けて、天井板がなくとも側板が側方に変形しないようにしたので、軽量で放熱性が高いという利点を備えながらも、機械的強度を高めることができる。
また、トレイ板５０と側板４２、４３とに脱落防止手段を設けたので、トレイ板を案内溝Ｇに沿って装着完了したときに、前方への脱落が防止される。また、トレイ板を案内溝に沿って前方へ引き出した時の脱落を防止することもできる。
【００１３】
【発明の効果】
以上のように本発明によれば、電気通信機器に使用される多段ラックに用いられるサブラックにおいて、個々のサブラック内に１又は２以上のトレイ板を略水平に装着することによって、個々のトレイ板上に各種機器類、プリント基板等を組み込む場合に、サブラック側板によって支持されるトレイ板の高さ位置を可能な限り短いピッチにて微調整可能に構成することができる。
また、サブラックの天井板を省略したとしても、トレイ板を装着することにより両側板の機械的強度を十分に確保して両側板の側方への変形を防止し、トレイ板を支持する際の安定性を高めることができ、更に側板を局所的に変形（切り絞り）させて内側へ突出させることによってガイド突起を形成する際に、側板に上下方向へ延びる大きな切り込みを形成せずにガイド突起の突出長を十分に大きく確保し、且つ高さ方向ピッチが小さいガイド突起を形成することができる。
即ちまず請求項１の発明は、サブラックを、底板と、左右両側板とから構成し、左右両側板の各内壁に前方から奥方へ向けて所要ピッチで突設した複数のガイド突起から成るガイド突起横列を設け、更に、両側板の同じ高さ位置にある該ガイド突起横列にトレイ板の左右端縁を支持させてサブラックの前方から奥方へスライド自在に支持した。このガイド突起横列を構成する個々のガイド突起は、両側板の一部を切り絞り方法によって内側へ円弧状に突出させることによって形成されているので、ガイド突起自体の上下方向幅を狭くするばかりでなく、上下位置関係にあるガイド突起同士の間隔を狭く設定するとともに、個々のガイド突起の機械的強度を高くすることができ、前記サブラックの少なくとも一方の側板の奥端部に、トレイ板の奥端部に設けた嵌合手段と嵌合する被嵌合手段を設け、トレイ板をガイド突起横列に沿ってサブラックの奥部まで装着したときに嵌合手段が被嵌合手段に嵌合するようにしたので、両側板の側方への変形を防止し、トレイの支持強度を高めることができる。
請求項２の発明では、前記ガイド突起横列は、所定の上下間隔を隔てて近接配置された２列を一組とし、該２列のガイド突起横列間によって前記トレイ板の両端縁をスライド自在にガイドしたので、トレイ板の端縁を安定してガイドし、支持することができる。
請求項３の発明では、前記一組のガイド突起横列を、各側板内面に上下方向に所要の間隔を隔てて複数列平行に配置したので、従来よりも大幅に短いピッチにてトレイ板の高さ位置を微調整することが可能となる。
請求項４の発明では、前記トレイ板をガイド突起横列により支持した時に、当該トレイ板の脱落を防止する脱落防止手段を備えたので、トレイ板を案内溝に沿って装着完了したときに、前方への脱落が防止され、トレイ板を案内溝に沿って前方へ引き出した時の脱落を防止することもできる。
【図面の簡単な説明】
【図１】本発明の一実施形態に係る電気通信機器としてのデジタル通信回線の多重分離装置の構成を示す正面図。
【図２】サブラックの一例の斜視図。
【図３】サブラックの正面図。
【図４】サブラックの平面図。
【図５】サブラックの側面図。
【図６】  (a)(b)(c)及び(d)はガイド突起の一例の構成を示す平面図、正面図、Ａ−Ａ断面図、及び側面図。
【図７】トレイ板の一例の構成を示す斜視図。
【図８】  (a)及び(b)は脱落防止手段の一例の構成及び動作説明図。
【図９】補強部の構成説明図。
【図１０】従来の電気通信機器の説明図。
【図１１】  (a)は従来のガイド突起の構成を示す斜視図、(b)はそのＡ−Ａ断面図。
【符号の説明】
３０  サブラック（シェルフ筐体）、３１  ラック本体（通信機器用キャビネット筐体）、３２  収容部、３３  仕切部材、４１  底板、４２  金属製左側板、４３  右側板、４５，４５ａ，４５ｂ  ガイド突起、４５Ｒ、４５Ｒａ，４５Ｒｂ  ガイド突起横列、５０  トレイ板、Ｇ  案内溝、５１  載置面、５２  被ガイド端縁、５３  前端屈曲片、５３ａ  穴、５４  切欠き、５５  嵌合突起（嵌合手段）、６０  受け板、６０ａ  ネジ穴、６５  屈曲片、６５ａ  長穴，６６係止片，６６ａ  小突起、６７  ボルト，７０  嵌合穴（被嵌合手段）、７１  屈曲片、７５  ガイド部材、７６  ケーブル集束用バー、７７  補強用の金具、７８  Ｌ字板、８０  コンセント、８１  電源入力用の端子台。
【図１】
0004418890.tif 000002
【図２】
0004418890.tif 000003
【図３】
0004418890.tif 000004
【図４】
0004418890.tif 000005
【図５】
0004418890.tif 000006
【図６】
0004418890.tif 000007
【図７】
0004418890.tif 000008
【図８】
0004418890.tif 000009
【図９】
0004418890.tif 000010
【図１０】
0004418890.tif 000011
【図１１】
0004418890.tif 000012